(57)【要約】【課題】組立性を改良した時計ムーブメント用日付表示構造【解決手段】日付の１０の位を表示する第二日付表示板である日板Ｂ４は、中心に結合した星車６の歯に係合する躍制レバーＢ７によって、１０段階の位置をとる。日板Ｂ４には、連続する「０」から「３」までの次に「３１」がある目盛が２組付けられている。また、「０」から「３」までの目盛が日付表示窓２の位置にあるときに、日付表示窓３の位置には抜き穴４ａが来る。日付の１の位を表示する第一日付表示板である日板Ａ８は、３１枚の内歯８ａに係合する躍制レバーＡ９によって、１回転で３１段階の位置をとる。日板Ａ８には連続する「０」から「９」までの目盛が３組付けられており、そのうちの１カ所の「０」の目盛と「１」の目盛との間に、一目で他の目盛とは明らかに異なることが分かる１段階の異形目盛としてのマーク１２が付けられている。【選択図】      図１
2005069690.tif 000002
【特許請求の範囲】
【請求項１】
輪列により２４時間で１段階進むように駆動されて日付の１の位を表示する３１段階の位置を有する第一日付表示板と、この第一日付表示板に連動して間欠的に駆動される日付の１０の位を表示する第二日付表示板とを有し、二つの前記日付表示板により、文字板の日付表示窓に日付を表示するための時計ムーブメント用日付表示構造において、前記第一日付表示板には「０」から「９」までの連続目盛が３つ付けられており、その３つの目盛の１つには「０」と「１」との間に１段階の異形目盛を含んでおり、前記第二日付表示板には連続する「０」から「３」までの連続目盛に続いて「３１」の目盛が付けられていることを特徴とする時計ムーブメント用日付表示構造。
【請求項２】
前記第二日付表示板は第一日付表示板と同じ回転軸を有するとともに、前記第一日付表示板には前記第二日付表示板を駆動するための少なくとも５つの送り爪を設けたことを特徴とする請求項１記載の時計ムーブメント用日付表示構造。
【請求項３】
前記第一日付表示板の前記異形目盛が空白部であることを特徴とする請求項１又は請求項２記載の時計ムーブメント用日付表示構造。
【請求項４】
前記第二日付表示板の前記目盛は等間隔に２つ配設されていることを特徴とする請求項１乃至請求項３のいずれかに記載の時計ムーブメント用日付表示構造。
【発明の詳細な説明】
【０００１】
【発明の属する技術分野】
本発明は、時計ムーブメント用日付表示構造に関する。
【０００２】
【従来の技術】
従来より、時計輪列により２４時間で１段階進むように駆動されて日付の１の位を表示する第一日付表示板と、この第一日付表示板に連動して間欠的に駆動される日付の１０の位を表示する第二日付表示板とを有し、これら２つの日付表示板により、文字板の日付表示窓に日付を表示する型式の時計ムーブメント用日付表示構造が、表示が大きくて見やすいという利点をもって知られている（例えば、特許文献１、特許文献２参照。）。
【０００３】
このような日付表示構造において、第一日付表示板には「０」から「９」までを含む３つの連続目盛りが付けられており、そのうちの一つの連続目盛りの「０」と「１」との間に追加の「１」が挿入されており、一日に１段階進むように構成されている。また、第二日付表示板には「０」から「３」までの、あるいは「１」から「３」までに空白部を加えた目盛を記した４位置を有し、１０日毎に少なくとも１段階進むように構成されている。
【０００４】
このような、日付表示構造の動作は、月の１０日、２０日及び３０日になるときには、第一日付表示板の「９」を「０」に進めるとともに、第二日付表示板の目盛を「０」から「１」に、「１」から「２」に、「２」から「３」に進める。
また、月の３０日から３１日になるときには、第一日付表示板の目盛「０」を次の目盛「１」へ進めるが、第二日付表示板の目盛「３」は停止したままである。
【０００５】
そして、月の３１日から翌月の１日になるときには、第一日付表示板の目盛「１」を次の追加の目盛「１」に進めると同時に、第二日付表示板の目盛「３」を目盛「０」または空白部に進める。そして、月の最終日が３１日より少ない場合には、従来の時計ムーブメントの日付補正装置を操作することによって、容易に翌月の１日へ進めることができる。
【０００６】
【特許文献１】
特許３３９００２１号公報（第２−４頁、図Ａ−Ｅ）
【特許文献２】
特開２０００−６５９５７号公報（第３−４頁、図２）
【０００７】
【発明が解決しようとする課題】
しかしながら、従来のこのような時計ムーブメント用日付表示構造においては、二つの日付表示板の切替のタイミングを合わせる必要があるので、時計ムーブメントに日付表示板を組み込む際に、第一日付表示板の連続して二つある「１」のうちの一方の「１」の目盛を基準にして第二日付表示板の位置合わせを行う。
その場合にどちらの「１」を基準にすべきかを迷って直ちに判断できないことがあった。このことは、時計ムーブメント用日付表示構造の組立性にとって問題であった。
【０００８】
本発明は、このような従来の問題を解決するためになされたものであり、その目的は、組立性を改良した時計ムーブメント用日付表示構造を提供することである。
【０００９】
【課題を解決するための手段】
前述した目的を達成するための本発明の手段は、輪列により２４時間で１段階進むように駆動されて日付の１の位を表示する３１段階の位置を有する第一日付表示板と、この第一日付表示板に連動して間欠的に駆動される日付の１０の位を表示する第二日付表示板とを有し、二つの前記日付表示板により、文字板の日付表示窓に日付を表示するための時計ムーブメント用日付表示構造において、前記第一日付表示板には「０」から「９」までの連続目盛が３つ付けられており、その３つの目盛の１つには「０」と「１」との間に１段階の異形目盛を含んでおり、前記第二日付表示板には連続する「０」から「３」までの連続目盛に続いて「３１」の目盛が付けられていることを特徴とする。
【００１０】
また、前記第二日付表示板は第一日付表示板と同じ回転軸を有するとともに、前記第一日付表示板には前記第二日付表示板を駆動するための少なくとも５つの送り爪を設けたことを特徴とする。
【００１１】
また、前記第一日付表示板の前記異形目盛が空白部であることを特徴とする。
【００１２】
また、前記第二日付表示板の前記目盛は等間隔に２つ配設されていることを特徴とする。
【００１３】
【発明の実施の形態】
以下、本発明の実施の形態を図面に基づいて詳細に説明する。図１は本発明の実施の形態である日付表示構造を備えた時計ムーブメントの平面図、図２は図１の時計ムーブメントから１０の位の日付表示板を除いた時計ムーブメントの平面図である。なお、図２は説明の便宜上一部を切り欠いた星車を描いてある。
【００１４】
図１において、１は時計ムーブメントである。２及び３は図示しない文字板の日付表示窓であり、説明の便宜上点線で示してある。日付表示窓２には日付の１０の位の目盛「２」を、日付表示窓３には同じく１の位の目盛「９」を表示して日付の２９日を表している。４は日付の１０の位を表示するための第二日付表示板としての円板状の日板Ｂである。
【００１５】
５はムーブメント１の指針軸である。６は指針軸５に回転可能に嵌挿された１０枚の歯を有する星車であり、星車６は日板Ｂ４の中心に結合してある。７は星車６の歯に係合して日板Ｂ４の位置を規制している躍制レバーＢである。日板Ｂ４は後述する日板Ａにより輪列を介して星車６が矢印方向に駆動されて、等間隔に１０段階の位置に停止しながら１回転するように構成されている。
【００１６】
日板Ｂ４には、日付表示窓２に対応する位置に連続する「０」から「３」までの目盛と、その次に来る、１の位の目盛も同時に表示する「３１」の目盛とが２組付けられている。日板Ｂ４にはまた、「０」から「３」までの目盛が日付表示窓２の位置に来たときに、日付表示窓３の位置に来るように日付表示窓３を含む大きさの抜き穴４ａが開けられている。「３１」の目盛は、１０の位と１の位とが日付表示窓２と３とに同時に表示されるので、この位置には抜き穴４ａはない。
【００１７】
図２において、８は日板Ｂ４の下に配設された日付の１の位を表示するための第一日付表示板としての円環状の日板Ａである。日板Ａ８には３１枚の内歯８ａが形成されており、ムーブメント１の図示しない環状凹部に案内されて指針軸を中心に矢印方向に回転する。９は日板Ａ８の内歯８ａに係合して日板Ａ８を１回転で等間隔の３１段階の位置に規制する躍制レバーＡである。
【００１８】
１０は指針軸に回転可能に嵌挿されており、時針が取り付けられる筒車であり、１１は筒車１０の歯と噛み合って２４時間で１回転する周知の日回し車であり、日板Ｂ８の内歯８ａと係合して日板Ａ８を１段階進めるための日回し爪１１ａを持っている。なお、その他の部品については、本発明には直接関係がないので図示と説明とを省略する。
【００１９】
日板Ａ８には、日付表示窓３に対応する位置に連続する「０」から「９」までの目盛が３組付けられており、そのうちの１カ所の「０」の目盛と「１」の目盛との間に、従来あった追加の「１」の目盛ではなく、一目で他の目盛とは明らかに異なることが分かる１段階の異形目盛としてのマーク１２が付けられている。
なお、異形目盛の代わりにここを空白部としてもよい。
【００２０】
１３は日板Ａ８の回転を星車６に伝達し、日板Ｂ４を同じ方向に間欠的に駆動するための２つの中間車である。１５は、日板Ａ８の内歯８ａの近傍の３カ所に形成されている送り爪であり、日付表示窓３の位置において、目盛「９」が「０」に切り替わるときにのみ送り爪１５が中間車１３の歯に係合して中間車１３を駆動する。
【００２１】
日板Ａ８の内歯８ａ近傍にはまた、日付表示窓３の位置において、目盛「０」からマーク１２あるいは空白部に切り替わるときに中間車１３の歯に係合するように送り爪１６が、またマーク１２あるいは空白部から目盛「１」に切り替わるときに中間車１３の歯に係合するように送り爪１７が形成されている。
【００２２】
次に、本発明の実施の形態である時計ムーブメント用日付表示構造の動作について説明する。図３乃至図５は時計ムーブメント用日付表示構造の連続する日付表示状態を示す日付表示板の要部平面図である。時計が図２の表示状態である２９日から日付が切り替わる時間になると、日回し車１１の日回し爪１１ａが日板Ａ８の内歯８ａに係合して日板Ａ８を１段階進めるとともに、日板Ａ８の送り爪１５により中間車１３を介して星車６を駆動して日板Ｂ４を１段階進める。
【００２３】
そこで、図３に示すように、文字板の日付表示窓３の位置には、日板Ａ８の目盛「０」が、日付表示窓２の位置には、日板Ｂ４の目盛「３」が表示されて３０日の日付を表すようになる。次の日付変更時間になると、同様にして日板Ａ８を１段階進めるとともに、今度は日板Ａ８の送り爪１６により日板Ｂ４を１段階進めるので、図４に示すように、文字板の日付表示窓２及び３の位置には、日板Ａ８の目盛「３１」が表示され３１日を表すようになる。
【００２４】
次の日付変更時間になると、同様にして日板Ａ８を１段階進めるとともに、今度は日板Ａ８の送り爪１７により日板Ｂ４を１段階進めるので、図５に示すように、文字板の日付表示窓３の位置には、日板Ａ８の目盛「１」が、日付表示窓２の位置には、日板Ｂ４の目盛「０」が表示されて１日を表すようになる。
【００２５】
以後は、日付変更時間になる毎に、日板Ａ８が１段階進められるが、次の送り爪１５がやってくるまでは、日板Ｂ４は駆動されないので、日付表示窓２に日板Ｂ４により表示される目盛は「０」のまま、日付表示窓３に日板Ａ８により表示される目盛だけが「２」から「９」へと切り替わる。
【００２６】
９日から１０日への日付変更時間になると、前述のように日板Ａ８を１段階進めるとともに、日板Ａ８の送り爪１５により日板Ｂ４を１段階進める。そこで、文字板の日付表示窓３の位置には、日板Ａ８の目盛「０」が、日付表示窓２の位置には、日板Ｂ４の目盛「１」が表示されて１０日を表すようになる。以降は、同様にして２９日まで日付表示が成される。月末に非存日がある場合には、従来技術によって日付早修正機構を働かせて容易に日付を修正できる。
【００２７】
次に、本発明の実施の形態である時計ムーブメント用日付表示構造の組立方法について説明する。日付表示機構の部品以外が既に組み立てられたムーブメント１に、まず筒車１０を、次に躍制レバーＡ９を組み込む。次に日板Ａ８を組み込むが、このとき、マーク１２の近傍にある送り爪１５が中間車１３と係合しないような前段階の位置に載置して、躍制レバーＡ９を日板Ａ８の内歯８ａに係合させて日板Ａ８を定位置に落ち着かせる。次に、日回し車１１を組み込み、筒車１０に係合させる。
【００２８】
更に、２個の中間車１３と躍制レバーＢ７とを組み込んでから、日板Ｂ４を組み込むのだが、ここでは、予め日板Ａ８を図２の矢印方向に空転させてマーク１２近傍にある送り爪１５が、中間車１３の歯に噛み合う直前の段階である位置に落ち着かせる。このとき、日付表示窓３の位置には目盛「９」が来ているようにする。
【００２９】
この状態を維持したまま、日付表示窓２に目盛「２」が表示されるような位置に日板Ｂ４を組み込む。このとき、日板Ｂ４の扇形窓４ｂから躍制レバーＢ７を操作するなどして、星車９の歯を躍制レバーＢ７に係合させるとともに中間車１３の歯にも噛み合わせる。図２に示したものが、日板Ａ８と日板Ｂ４との組み込み基準位置である。
【００３０】
次に、本発明の実施の形態であるの時計ムーブメント用日付表示構造の効果について説明する。日板Ａ８にはマーク１２あるいは空白部を設けてあるので、日板Ａ８の組み込みに際して、組み込み位置の目安である送り爪１５の位置を瞬時に確認できる。従って組み込み工数を短縮できる。
【００３１】
なお、以上の実施の形態では、日板Ａ８の内歯８ａの歯数を３１、日板Ｂ４の星車６の歯数を１０としたが、３１を６２に、そして１０を２０としてもよい。また、送り爪は１５、１６及び１７と少なくとも５箇所に設けられているが、これらの歯数に応じて、送り爪の数はこれより増加する場合もある。
【００３２】
【発明の効果】
以上説明したように、本発明によれば、輪列により２４時間で１段階進むように駆動されて日付の１の位を表示する３１段階の位置を有する第一日付表示板と、この第一日付表示板に連動して間欠的に駆動される日付の１０の位を表示する第二日付表示板とを有し、二つの前記日付表示板により、文字板の日付表示窓に日付を表示するための時計ムーブメント用日付表示構造において、前記第一日付表示板には「０」から「９」までの連続目盛が３つ付けられており、その３つの目盛の１つには「０」と「１」との間に１段階の異形目盛を含んでおり、前記第二日付表示板には連続する「０」から「３」までの次に「３１」の目盛が付けられているように構成したので、日付表示構造の組立に際して、位置合わせを確認するのに迷ったりせずに迅速にできるので、組立性のよい時計ムーブメント用日付表示構造を提供することができた。
【図面の簡単な説明】
【図１】本発明の実施の形態である日付表示構造を備えた時計ムーブメントの平面図である。
【図２】図１の時計ムーブメントから１０の位の日付表示板を除いた時計ムーブメントの平面図である。
【図３】時計ムーブメント用日付表示構造の連続する日付表示状態を示す日付表示板の要部平面図である。
【図４】時計ムーブメント用日付表示構造の連続する日付表示状態を示す日付表示板の要部平面図である。
【図５】時計ムーブメント用日付表示構造の連続する日付表示状態を示す日付表示板の要部平面図である。
【符号の説明】
１  ムーブメント
２、３  日付表示窓
４  第二日付表示板
５  指針軸
８  第一日付表示板
１２  マーク
１５、１６、１７  送り爪
【図１】
2005069690.tif 000003
【図２】
2005069690.tif 000004
【図３】
2005069690.tif 000005
【図４】
2005069690.tif 000006
【図５】
2005069690.tif 000007